(57)【要約】      （修正有）【課題】搬送経路上に設けられたフォトセンサーについて、長寿命化を図ることが可能なプリンターを提供する。【解決手段】プリンター１は、記録媒体の搬送経路上に設けられたフォトセンサーたるリアルエンドセンサー１５と、記録媒体が搬送され得る状態となった場合に、リアルエンドセンサー１５を駆動可能とするプリンター制御部２０と、を備え、ホストコンピューターから印刷を指示する制御コマンドを受信した際に、ロール紙の残量が所定量を下回ったことが検出された場合は、リアルエンドセンサー１５に電源を供給し、駆動可能とするようにした。【選択図】図２
2014188700.tif 000002
【特許請求の範囲】
【請求項１】
記録媒体に記録する印刷装置であって、
前記記録媒体の搬送経路上に設けられたフォトセンサーと、
前記記録媒体が搬送され得る状態となった場合に、前記フォトセンサーを駆動可能とする制御部と、を備えることを特徴とする印刷装置。
【請求項２】
制御装置に接続可能に構成され、
前記制御部は、
前記制御装置から印刷を指示する制御コマンドを受信した場合に、前記フォトセンサーを駆動可能な状態とし、当該制御コマンドに基づく印刷が完了した後、当該状態を解除することを特徴とする請求項１に記載の印刷装置。
【請求項３】
オートフィード可能に構成され、
前記制御部は、
オートフィードが指示されている間、前記フォトセンサーを駆動可能とすることを特徴とする請求項１又は２に記載の印刷装置。
【請求項４】
前記記録媒体はロール紙であり、
前記フォトセンサーは、前記記録媒体の末端を検出可能であり、
前記記録媒体の残量が所定量を下回ったことを検出する残量センサーを備え、
前記制御部は、
前記記録媒体が搬送され得る状態であり、かつ、前記残量センサーによって前記ロール紙の残量が所定量を下回ったことが検出されている場合に、前記フォトセンサーを駆動可能とすることを特徴とする請求項１ないし３のいずれかに記載の印刷装置。
【請求項５】
記録媒体の搬送経路上に設けられたフォトセンサーを備え、前記記録媒体に記録する印刷装置の制御方法であって、
前記記録媒体が搬送され得る状態となったか否か判別し、当該状態となった場合、前記フォトセンサーを駆動可能とすることを特徴とする印刷装置の制御方法。
【請求項６】
記録媒体の搬送経路上に設けられたフォトセンサーを備え、前記記録媒体に記録する印刷装置を制御する制御部により実行されるプログラムであって、
前記制御部に、
前記記録媒体が搬送され得る状態となった場合に、前記フォトセンサーを駆動可能とさせることを特徴とするプログラム。
【発明の詳細な説明】
【技術分野】
【０００１】
本発明は、記録媒体に印刷する印刷装置、当該印刷装置の制御方法、及び、当該印刷装置を制御するためのプログラムに関する。
【背景技術】
【０００２】
従来、フォトセンサーによって、ロール紙の紙切れを検出する印刷装置（サーマルプリンター装置）が知られている（例えば、特許文献１参照）。
【先行技術文献】
【特許文献】
【０００３】
【特許文献１】特開２００２−１２０３８９号公報
【発明の概要】
【発明が解決しようとする課題】
【０００４】
上述した印刷装置のように、フォトセンサーを備えるものでは、フォトセンサーの経年劣化を抑制して寿命を延ばし、フォトセンサーの交換に係る作業をできるだけ行なわなくてよいようにしたいとするニーズがある。
本発明は、上述した事情に鑑みてなされたものであり、搬送経路上に設けられたフォトセンサーについて、長寿命化を図ることを目的とする。
【課題を解決するための手段】
【０００５】
上記目的を達成するために、本発明は、記録媒体に記録する印刷装置であって、前記記録媒体の搬送経路上に設けられたフォトセンサーと、前記記録媒体が搬送され得る状態となった場合に、前記フォトセンサーを駆動可能とする制御部と、を備えることを特徴とする。
ここで、フォトセンサーは、記録媒体の搬送に伴う出力値の変化により、記録媒体の端部を検出するものである。これを踏まえ、上記構成によれば、フォトセンサーによる記録媒体の端部の検出が適切に行なわれる状態とした上で、フォトセンサーが駆動する期間を短縮でき、フォトセンサーの経年劣化を抑制でき、フォトセンサーの長寿命化を図ることができる。
【０００６】
また、本発明は、制御装置に接続可能に構成され、前記制御部は、前記制御装置から印刷を指示する制御コマンドを受信した場合に、前記フォトセンサーを駆動可能な状態とし、当該制御コマンドに基づく印刷が完了した後、当該状態を解除することを特徴とする。
記録媒体の印刷には、記録媒体の搬送を伴うが、上記構成によれば、印刷に伴う記録媒体の搬送が行なわれる可能性のある間は、フォトセンサーが駆動可能な状態とされ、印刷が完了すると、当該状態が解除されるため、フォトセンサーによる記録媒体の端部の検出が適切に行なわれる状態とした上で、フォトセンサーが駆動する期間を短縮でき、フォトセンサーの長寿命化をより図ることができる。
【０００７】
また、本発明は、オートフィード可能に構成され、前記制御部は、オートフィードが指示されている間、前記フォトセンサーを駆動可能とすることを特徴とする。
この構成によれば、オートフィードが行なわれる可能性のある間は、フォトセンサーが駆動可能な状態とされるため、フォトセンサーによる記録媒体の端部の検出が適切に行なわれる状態とした上で、フォトセンサーが駆動する期間を短縮でき、フォトセンサーの長寿命化をより図ることができる。
【０００８】
また、本発明は、前記記録媒体はロール紙であり、前記フォトセンサーは、前記記録媒体の末端を検出可能であり、前記記録媒体の残量が所定量を下回ったことを検出する残量センサーを備え、前記制御部は、前記記録媒体が搬送され得る状態であり、かつ、前記残量センサーによって前記ロール紙の残量が所定量を下回ったことが検出されている場合に、前記フォトセンサーを駆動可能とすることを特徴とする。
上記構成の場合、フォトセンサーによるロール紙の末端の検出は、残量センサーによるロール紙の残量が所定量を下回ったことの検出の後に行なわれる。従って、記録媒体が搬送され得る状態であっても、残量センサーによってロール紙の残量が所定量を下回ったことが検出される前は、フォトセンサーによってロール紙の末端が検出されることはない。これを踏まえ、上記構成によれば、フォトセンサーが駆動する期間をより短縮でき、フォトセンサーの長寿命化をより図ることができる。
【０００９】
また、上記目的を達成するために、本発明は、記録媒体の搬送経路上に設けられたフォトセンサーを備え、前記記録媒体に記録する印刷装置の制御方法であって、前記記録媒体が搬送され得る状態となったか否か判別し、当該状態となった場合、前記フォトセンサーを駆動可能とすることを特徴とする。
この制御方法によれば、フォトセンサーによる記録媒体の端部の検出が適切に行なわれる状態とした上で、フォトセンサーが駆動する期間を短縮でき、フォトセンサーの経年劣化を抑制でき、フォトセンサーの長寿命化を図ることができる。
【００１０】
また、上記目的を達成するために、本発明は、記録媒体の搬送経路上に設けられたフォトセンサーを備え、前記記録媒体に記録する印刷装置を制御する制御部により実行されるプログラムであって、前記制御部に、前記記録媒体が搬送され得る状態となった場合に、前記フォトセンサーを駆動可能とさせることを特徴とする。
このプログラムを実行することにより、フォトセンサーによる記録媒体の端部の検出が適切に行なわれる状態とした上で、フォトセンサーが駆動する期間を短縮でき、フォトセンサーの経年劣化を抑制でき、フォトセンサーの長寿命化を図ることができる。
【発明の効果】
【００１１】
本発明によれば、搬送経路上に設けられたフォトセンサーについて、長寿命化を図ることができる。
【図面の簡単な説明】
【００１２】
【図１】本実施形態に係るプリンターの内部構造を示す図である。
【図２】プリンター、及び、ホストコンピューターの機能ブロック図である。
【図３】プリンター、ホストコンピューターの動作を示すフローチャートである。
【発明を実施するための形態】
【００１３】
以下、図面を参照して本発明の実施形態について説明する。
図１は、本実施形態に係るプリンター１（印刷装置）の内部構造を、説明に適した態様で模式的に示す図である。
プリンター１は、サーマルプリンターであり、ロール紙１０（記録媒体）を収容可能に構成されると共に、ロール紙１０を繰り出して搬送し、ロール紙１０に画像を印刷し、ロール紙１０を所定の位置で切断する機能を有している。
図１に示すようにプリンター１では、収容部１１に、ロール状のロール紙１０が収容されている。以下、ロール紙１０のうち、収容部１１に収容されたロール状の部分を、ロール紙母体１２という。
ロール紙母体１２の側面に対応する位置には、ニアエンドセンサー１３（残量センサー、ニアエンド検出部）が設けられている。このニアエンドセンサー１３は、ロール紙１０の残量が所定量を下回ったニアエンド状態であることを検出する機械式センサー（機械式検出部）である。詳述すると、ニアエンドセンサー１３は、ロール紙母体１２の側面に向かって付勢された突出部１３ａを備えている。ロール紙１０の残量が十分にある場合は、この突出部１３ａがロール紙母体１２の側面によって押下された状態となり、この突出部１３ａが機械式スイッチを電気的オン状態に作動させ、ニアエンドセンサー１３から、ニアエンド状態でないことを示す信号（オフ信号）が出力される。一方で、ロール紙１０の残量が所定量を下回り、ロール紙母体１２の半径が所定の距離よりも短くなると、突出部１３ａが押下された状態が解除され、ニアエンドセンサー１３からニアエンド状態であることを示す信号（オン信号）が出力される。
【００１４】
図１に示すように、プリンター１には、ロール紙１０が搬送される経路である搬送経路１４が設けられており、ロール紙母体１２からシート状のロール紙１０が繰り出されて、この搬送経路１４を搬送される。
搬送経路１４上には、リアルエンドセンサー１５（リアルエンド検出部）が設けられている。リアルエンドセンサー１５は、受光部を有する透過型、又は、反射型のフォトセンサー（光学式検出部）であり、ロール紙１０の末端（端部）が対応する位置を通過したときに、受光部の受光量の変化により、リアルエンド状態であることを検出する（ロール紙１０の末端を検出する）。すなわち、リアルエンドセンサー１５は、ロール紙１０がリアルエンドセンサー１５に対応する位置に延在している間は、リアルエンド状態でないことを示す信号（オフ信号）を出力し、延在していない状態となるとリアルエンド状態であることを示す信号（オン信号）を出力する。リアルエンドセンサー１５によってロール紙１０の末端が検出された場合は、ロール紙１０に印刷中であっても、印刷が停止され、いわゆる空印字が行なわれることが防止される。
リアルエンドセンサー１５の搬送方向の下流には、サーマルヘッド１６が設けられ、このサーマルヘッド１６に対向する位置には、プラテンローラー１７が設けられている。プラテンローラー１７の搬送方向の下流には、ロール紙１０を切断するカッター機構１８が設けられている。
【００１５】
図２は、プリンター１、及び、このプリンター１を制御するホストコンピューター３０（制御装置）の機能的構成を模式的に示すブロック図である。
図２に示す用にプリンター１は、プリンター制御部２０（制御部）と、印刷部２１と、電源制御部２２と、インターフェース部２３（Ｉ／Ｆ）と、入力部２４と、を備えている。
プリンター制御部２０は、ＣＰＵや、ＲＯＭ、ＲＡＭ、その他の周辺回路等を備え、プリンター１の各部を中枢的に制御する。特に、プリンター制御部２０は、ＲＯＭに記憶されたファームウェアを読み出して実行することにより、プリンター１の各部を中枢的に制御して、各種処理を実行する。印刷部２１は、上述したサーマルヘッド１６や、プラテンローラー１７を駆動するためのローラー、カッター機構１８等を備え、プリンター制御部２０の制御の下、ロール紙１０を搬送方向ＹＪ１に向かって搬送しつつ、サーマルヘッド１６によってロール紙１０に画像を印刷し、カッター機構１８によって所定の位置でロール紙１０を切断する。
電源制御部２２は、プリンター制御部２０の制御下、各種機構への電源の供給を制御する。特に、本実施形態では、電源制御部２２は、リアルエンドセンサー１５への電力供給線に設けられたスイッチをオン／オフする機能を有している。プリンター制御部２０は、電源制御部２２を制御して、リアルエンドセンサー１５への電源の供給をオンすることより、リアルエンドセンサー１５を駆動可能な状態（検出可能な状態）とし、一方、リアルエンドセンサー１５への電源の供給をオフすることにより、リアルエンドセンサー１５を駆動不可能な状態（検出不可能な状態）とする。
インターフェース部２３は、プリンター制御部２０の制御の下、ホストコンピューター３０と所定の通信規格に準拠して通信する。入力部２４は、プリンター１の操作スイッチに接続され、操作スイッチに対する操作を検出し、プリンター制御部２０に出力する。本実施形態に係るプリンター１は、特に、オートフィードの実行を指示するプッシュ式のオートフィードスイッチ２５が設けられている。このオートフィードスイッチ２５が押下されている間、プリンター制御部２０は、印刷部２１の搬送機構を制御して、ロール紙１０の搬送を継続して実行する。
【００１６】
また、図２に示すように、ホストコンピューター３０は、ホスト制御部３１と、インターフェース部３２（Ｉ／Ｆ）と、を備えている。
ホスト制御部３１は、ＣＰＵや、ＲＯＭ、ＲＡＭ、その他の周辺回路等を備え、ホストコンピューター３０の各部を中枢的に制御する。特に、プリンター制御部２０は、ＲＯＭに記憶されたプリンタードライバーを読み出して実行することにより、プリンター１に制御コマンドを送信して、プリンター１に各種処理を実行させる。
インターフェース部３２は、ホスト制御部３１の制御の下、プリンター１と所定の通信規格に準拠して通信する。
【００１７】
ところで、プリンター１は、フォトセンサーたるリアルエンドセンサー１５を備えている。そして、フォトセンサーは、電源が供給されると、その受光部や発光部の素子は経年劣化するものであり、リアルエンドセンサー１５が経年劣化により故障した場合、交換する必要があるため、できるだけ経年劣化を抑制し、長寿命化を図りたいとするニーズがある。
以上を踏まえ、本実施形態に係るプリンター１は、以下の動作を行なう。
【００１８】
図３は、電源がオンされた後のプリンター１の動作を示すフローチャートである。
図３のフローチャートの開始時点では、プリンター１に収納されたロール紙１０の残量は十分にあり、従って、ニアエンドセンサー１３の出力値はオフ信号である、すなわち、ニアエンドセンサー１３によってロール紙１０の残量が所定量を下回ったことが検出されていないものとする。
図３を参照し、プリンター１の電源がオンされると（ステップＳＡ１）、プリンター制御部２０は、動作モードをフォトセンサー駆動停止モードに移行する（ステップＳＡ２）。このフォトセンサー駆動停止モードでは、当該モードが解除されるまで、リアルエンドセンサー１５への電源供給が禁止（停止）されることにより、リアルエンドセンサー１５の駆動が不可能な状態とされる。
次いで、プリンター制御部２０は、オートフィードスイッチ２５が押下されたか否かを監視しつつ（ステップＳＡ３）、ホストコンピューター３０から印刷を指示する制御コマンド（以下、単に「制御コマンド」という。）を受信したか否かを監視する（ステップＳＡ４）。
制御コマンドを受信した場合（ステップＳＡ４：ＹＥＳ）、プリンター制御部２０は、ニアエンドセンサー１３の出力値がオフ信号からオン信号へと変化したか否か、換言すれば、ニアエンドセンサー１３によってロール紙１０の残量が所定量を下回ったことが検出されたか否かを監視しつつ（ステップＳＡ５）、制御コマンドに基づく印刷が完了したかを否か監視する（ステップＳＡ６）。印刷が完了した場合（ステップＳＡ６：ＹＥＳ）、プリンター制御部２０は、処理手順を、ステップＳＡ３へ戻す。
【００１９】
印刷が完了する前に、ニアエンドセンサー１３によってロール紙１０の残量が所定量を下回ったことが検出された場合（ステップＳＡ５：ＹＥＳ）、プリンター制御部２０は、動作モードを、フォトセンサー駆動モードへと移行する（ステップＳＡ７）。このフォトセンサー駆動モードでは、リアルエンドセンサー１５への電源供給の禁止が解除され、適宜、当該センサーに電源が供給されて、プリンター制御部２０により当該センサーの出力値が取得される。例えば、動作モードがフォトセンサー駆動モードに移行している間、プリンター制御部２０は、所定のサンプリング周期で、リアルエンドセンサー１５への電源の供給、当該センサーの出力値の取得、及び、電源の供給の停止を行なって、間欠的にリアルエンドセンサー１５の出力値を取得する。
次いで、プリンター制御部２０は、制御コマンドに基づく印刷が完了したかを否か監視する（ステップＳＡ８）。完了した場合（ステップＳＡ８：ＹＥＳ）、プリンター制御部２０は、動作モードをフォトセンサー駆動停止モードに移行し、リアルエンドセンサー１５を駆動可能な状態を解除する（ステップＳＡ９）。その後、プリンター制御部２０は、処理手順をステップＳＡ３へ移行する。
【００２０】
ここで、印刷中は、ロール紙１０の搬送を伴うが、上記構成によれば、印刷に伴うロール紙１０の搬送が行なわれる可能性のある間であって、ニアエンドセンサー１３によってロール紙１０の残量が所定量を下回ったことが検出された場合は、リアルエンドセンサー１５が駆動可能な状態とされ、印刷が完了すると、当該状態が解除されるため、リアルエンドセンサー１５によるロール紙１０の端部の検出が適切に行なわれる状態とした上で、リアルエンドセンサー１５が駆動する期間を短縮でき、リアルエンドセンサー１５の長寿命化をより図ることができる。特に、本実施形態では、リアルエンドセンサー１５によるロール紙１０の末端の検出は、ニアエンドセンサー１３によるロール紙１０の残量が所定量を下回ったことの検出の後に行なわれる。従って、ロール紙１０が搬送され得る状態であっても、ニアエンドセンサー１３によってロール紙の残量が所定量を下回ったことが検出される前は、リアルエンドセンサー１５によってロール紙１０の末端が検出されることはない。これを踏まえ、上記構成によれば、リアルエンドセンサー１５が駆動する期間をより短縮でき、リアルエンドセンサー１５の長寿命化をより図ることができる。
なお、上記例では、ニアエンドセンサー１３によってロール紙１０の残量が所定量を下回ったことが検出されたことをトリガーとして、動作モードが、フォトセンサー駆動モードに移行する構成であった。しかしながら、上記検出後、ロール紙１０が所定の距離、搬送された場合に、フォトセンサー駆動停止モードへ移行する構成であってもよい。
ここで、リアルエンドセンサー１５によるロール紙１０の末端の検出は、ニアエンドセンサー１３によるロール紙の残量が所定量を下回ったことの検出の「直後」に行なわれるのではなく、一定量ロール紙１０が搬送された後に行なわれる。これを踏まえ、この構成によれば、リアルエンドセンサー１５が駆動する期間をより短縮でき、リアルエンドセンサー１５の長寿命化を図ることができる。
また、上記例では、制御コマンドを受信した後、ニアエンドセンサー１３によってロール紙１０の残量が所定量を下回ったことが検出された場合に、動作モードを、フォトセンサー駆動モードに移行していたが、ニアエンドセンサー１３の出力値にかかわらず、制御コマンドを受信した場合、動作モードの移行を行なう構成であってもよい。この構成であっても、上述した効果と同様の効果を奏することが可能である。
【００２１】
一方、ステップＳＡ３において、オートフィードスイッチ２５が押下された場合（ステップＳＡ３：ＹＥＳ）、プリンター制御部２０は、ニアエンドセンサー１３の出力値がオフ信号からオン信号へと変化したか否か、換言すれば、ニアエンドセンサー１３によってロール紙１０の残量が所定量を下回ったことが検出されたか否かを監視しつつ（ステップＳＡ１０）、オートフィードスイッチ２５の押下が終了したかを否か監視する（ステップＳＡ１１）。オートフィードスイッチ２５の押下が終了した場合（ステップＳＡ１１：ＹＥＳ）、プリンター制御部２０は、処理手順を、ステップＳＡ３へ戻す。
【００２２】
オートフィードスイッチ２５の押下が終了する前に、ニアエンドセンサー１３によってロール紙１０の残量が所定量を下回ったことが検出された場合（ステップＳＡ１０：ＹＥＳ）、プリンター制御部２０は、動作モードを、フォトセンサー駆動モードへと移行する（ステップＳＡ１２）。次いで、プリンター制御部２０は、オートフィードスイッチ２５の押下が終了したかを否か監視する（ステップＳＡ１３）。完了した場合（ステップＳＡ１３：ＹＥＳ）、プリンター制御部２０は、動作モードをフォトセンサー駆動停止モードに移行し、リアルエンドセンサー１５を駆動可能な状態を解除する（ステップＳＡ１４）。その後、プリンター制御部２０は、処理手順をステップＳＡ３へ移行する。
【００２３】
ここで、オートフィードスイッチ２５が押下されている間は、ロール紙１０の搬送が行なわれるが、上記構成によれば、オートフィードスイッチ２５が押下されている間であって、ニアエンドセンサー１３によってロール紙１０の残量が所定量を下回ったことが検出された場合は、リアルエンドセンサー１５が駆動可能な状態とされ、オートフィードスイッチ２５の押下が終了すると、当該状態が解除されるため、リアルエンドセンサー１５によるロール紙１０の端部の検出が適切に行なわれる状態とした上で、リアルエンドセンサー１５が駆動する期間を短縮でき、リアルエンドセンサー１５の長寿命化をより図ることができる。
なお、オートフィードスイッチ２５の押下中、ニアエンドセンサー１３によってロール紙１０の残量が所定量を下回ったことが検出された後、ロール紙１０が所定の距離、搬送された場合に、フォトセンサー駆動停止モードへ移行する構成であってもよい。また、ニアエンドセンサー１３の出力値にかかわらず、オートフィードスイッチ２５が押下された場合、動作モードの移行を行なう構成であってもよい。この構成であっても、上述した効果と同様の効果を奏することが可能である。
【００２４】
以上説明したように、本実施形態によれば、プリンター制御部２０は、ロール紙１０（記録媒体）が搬送され得る状態となった場合に、フォトセンサーたるリアルエンドセンサー１５を駆動可能とする。
この構成によれば、リアルエンドセンサー１５による記録媒体の端部の検出が適切に行なわれる状態とした上で、リアルエンドセンサー１５が駆動する期間を短縮でき、リアルエンドセンサー１５の経年劣化を抑制でき、リアルエンドセンサー１５の長寿命化を図ることができる。
【００２５】
また、本実施形態では、プリンター制御部２０は、ホストコンピューター３０から印刷を指示する制御コマンドを受信した場合に、リアルエンドセンサー１５を駆動可能な状態とし、当該制御コマンドに基づく印刷が完了した後、当該状態を解除する。
この構成によれば、印刷に伴うロール紙１０の搬送が行なわれる可能性のある間は、リアルエンドセンサー１５が駆動可能な状態とされ、印刷が完了すると、当該状態が解除されるため、リアルエンドセンサー１５による記録媒体の端部の検出が適切に行なわれる状態とした上で、リアルエンドセンサー１５が駆動する期間を短縮でき、リアルエンドセンサー１５の長寿命化をより図ることができる。
【００２６】
また、本実施形態に係るプリンターは、オートフィード可能に構成されている。そして、プリンター制御部２０は、オートフィードが指示されている間、リアルエンドセンサー１５を駆動可能とする。
この構成によれば、オートフィードが行なわれる可能性のある間は、リアルエンドセンサー１５が駆動可能な状態とされるため、リアルエンドセンサー１５によるロール紙１０の端部の検出が適切に行なわれる状態とした上で、リアルエンドセンサー１５が駆動する期間を短縮でき、リアルエンドセンサー１５の長寿命化をより図ることができる。
【００２７】
また、本実施形態では、プリンター制御部２０は、ロール紙１０が搬送され得る状態であり、かつ、ニアエンドセンサー１３によってロール紙１０の残量が所定量を下回ったことが検出されている場合に、リアルエンドセンサー１５を駆動可能とする。
この構成によれば、フォトセンサーが駆動する期間をより短縮でき、フォトセンサーの長寿命化をより図ることができる。
【００２８】
なお、上述した実施の形態は、あくまでも本発明の一態様を示すものであり、本発明の範囲内で任意に変形および応用が可能である。
例えば、上述した実施形態では、ロール紙１０（記録媒体）が搬送され得る状態として、ホストコンピューター３０から印刷を指示する制御コマンドを受信した場合と、オートフィードスイッチ２５が押下された場合を例示したが、ロール紙１０（記録媒体）が搬送され得る状態はこれに限らない。
また例えば、ニアエンドセンサー１３は、実施形態に係る構成でなくてもよく、機械式のセンサーであればよい。また例えば、上述した実施形態では、プリンター１は、サーマルプリンターであったが、印刷装置の印刷形式は何であってもよい。また例えば、図２に示す各機能ブロックはハードウェアとソフトウェアの協働により任意に実現可能であり、特定のハードウェア構成を示唆するものではない。また、プリンター１や、ホストコンピューター３０の各機能ブロックの機能を、これら装置に外部接続される別の装置に持たせるようにしてもよい。また、プリンター１や、ホストコンピューター３０は、外部接続される記憶媒体に記憶させたプログラムを実行することにより、各種動作を実行してもよい。
【符号の説明】
【００２９】
１…プリンター（印刷装置）、１０…ロール紙（記録媒体）、１３…ニアエンドセンサー（残量センサー）、１４…搬送経路、１５…リアルエンドセンサー（フォトセンサー）、３０…ホストコンピューター、３１…ホスト制御部。
【図１】
2014188700.tif 000003
【図２】
2014188700.tif 000004
【図３】
2014188700.tif 000005